(57)【特許請求の範囲】
【請求項１】
紙葉類を結束する紙葉類処理装置であって、
紙葉類を投入する投入部が設けられた筐体と、
前記筐体に、開閉可能に取付けられた扉と、
前記筐体内に上下方向に複数配置され、紙葉類を所定の枚数になるまで集積する集積部と、
前記投入部に投入された紙葉類を前記各集積部へ選択的に搬送する振分搬送路と、を備え、
前記振分搬送路を前記扉の内側に組付けると共に、前記振分搬送路を、支軸を中心に開放可能とし、
前記振分搬送路に、前記振分搬送路を開放した状態で前記扉を閉じたときに、前記筐体の係止部に当接する当接部を設けたことを特徴とする紙葉類処理装置。
【請求項２】
請求項１に記載の紙葉類処理装置において、
前記振分搬送路は、固定搬送路と可動搬送路とを有し、
前記固定搬送路を前記扉の内側に組付けると共に、前記可動搬送路を、前記固定搬送路に設けた前記支軸を中心に開放可能に取付け、
前記当接部を、前記可動搬送路に設けたことを特徴とする紙葉類処理装置。
【請求項３】
請求項２に記載の紙葉類処理装置において、
前記固定搬送路と前記可動搬送路との間に、前記可動搬送路の開度を制限する制限部材を設けたことを特徴とする紙葉類処理装置。
【請求項４】
請求項１ないし請求項３のいずれか一項に記載の紙葉類処理装置において、
前記当接部の動きによって、前記扉の開閉を検出する開閉検出センサを設けたことを特徴とする紙葉類処理装置。
【発明の詳細な説明】
【技術分野】
【０００１】
本発明は、紙幣等の紙葉類を、結束枚数毎に結束する紙幣整理装置等の紙葉類処理装置に関する。
【背景技術】
【０００２】
従来の、紙幣を所定の結束枚数で結束する紙幣整理装置は、装置正面に設けられた扉の内側に、上下方向に並べて配置された５つの集積部と、各集積部に紙幣を搬送する振分搬送路を有する集積機構を設け、集積機構にアクセスするときは、オペレータが扉を開けて行っている（例えば、特許文献１参照。）。
【先行技術文献】
【特許文献】
【０００３】
【特許文献１】特開２０１４−２３５６５９号公報（段落００２３、００２４、第４図、第６図）
【発明の概要】
【発明が解決しようとする課題】
【０００４】
しかしながら、上述した従来の技術においては、集積機構の振分搬送路でジャム等の障害が発生した場合は、オペレータは扉を開け、振分搬送路を開放してジャム紙幣を除去する保守作業を行うことになるが、搬送路が扉に取付けられている場合には、ジャム紙幣の除去等の保守作業の終了時に、搬送路を開放した状態のまま扉を閉めると、振分搬送路等に破損や変形が生ずる場合があるという問題がある。
本発明は、上記の問題点を解決するためになされたもので、振分搬送路を開放した状態で扉を閉めたとしても、振分搬送路等の破損や変形を防止する手段を提供することを目的とする。
【課題を解決するための手段】
【０００５】
本発明は、上記課題を解決するために、紙葉類を結束する紙葉類処理装置であって、紙葉類を投入する投入部が設けられた筐体と、前記筐体に、開閉可能に取付けられた扉と、前記筐体内に上下方向に複数配置され、紙葉類を所定の枚数になるまで集積する集積部と、前記投入部に投入された紙葉類を前記各集積部へ選択的に搬送する振分搬送路と、を備え、前記振分搬送路を前記扉の内側に組付けると共に、前記振分搬送路を、支軸を中心に開放可能とし、前記振分搬送路に、前記振分搬送路を開放した状態で前記扉を閉じたときに、前記筐体の係止部に当接する当接部を設けたことを特徴とする。
【発明の効果】
【０００６】
これにより、本発明は、振分搬送路を開放した状態で扉を閉めたとしても、当接部が係止部に当接して扉を閉めることができなり、振分搬送路等の破損や変形を防止するという効果が得られる。
【図面の簡単な説明】
【０００７】
【図１】実施例１の紙幣整理装置の構成を示す説明図
【図２】実施例１の紙幣整理装置の外観を示す説明図
【図３】実施例１の操作部を示す説明図
【図４】実施例１の紙幣整理装置の制御系を示すブロック図
【図５】実施例１の集積機構を示す説明図
【図６】実施例１の可動搬送路の開放状態を示す説明図
【発明を実施するための形態】
【０００８】
以下に、図面を参照して本発明による紙葉類処理装置の実施例について説明する。
【実施例１】
【０００９】
以下に、図１ないし図６を用いて本実施例の紙幣整理装置について説明する。
本実施例の紙葉類処理装置としての紙幣整理装置１は、銀行等の金融機関に設置され、紙葉類としての紙幣を計数しながら複数の集積部に結束枚数に達するまで紙幣を一時集積し、一時集積された結束枚数の紙幣を結束帯で結束して紙幣束を作成する結束処理を行う機能を有しており、図１、図２に示す構成を備えている。
【００１０】
投入部２は、紙幣整理装置１の筐体１ａの正面上部に設けられ、オペレータが紙幣を一括して投入する。
鑑別部３は、筐体１ａ内に設けられ、搬送された紙幣の真偽、金種、正損、表裏等の鑑別、および計数を行うと共に、搬送異常の検出を行う。
表裏反転部４は、筐体１ａ内の鑑別部３の後段に位置するように設けられ、鑑別部３で表裏反転を要すると鑑別された紙幣の表裏を反転する。
【００１１】
オープンポケット５は、筐体１ａの上面に設けられており、結束対象外の金種の紙幣を集積する。オープンポケット５に集積された紙幣は、集積後にオペレータにより取出される。
リジェクトポケット６は、投入部２の上方に設けられており、鑑別部３で金種不明と鑑別された紙幣や、搬送異常が検知された紙幣等のリジェクト紙幣を集積する。リジェクトポケット６に集積されたリジェクト紙幣は、集積後にオペレータにより取出される。
【００１２】
操作表示部７は、筐体１ａの上面においてオープンポケット５の後方に位置するように設けられ、ＬＣＤ等の表示画面とその表面に配置されたタッチパネル等を備えており、オペレータが操作して、処理モードの指定や、結束する紙幣の金種等の設定を行う。
また、操作表示部７の表示画面には、鑑別部３で鑑別された紙幣の金種や正損および計数結果等も表示される。
【００１３】
操作部８は、投入部２の近傍に設けられ、図３に示すように、紙幣の計数の開始を指示するための計数開始ボタン８ａ、計数または結束処理等の完了を指示するための完了ボタン８ｂ、紙幣整理装置１の障害復旧時に装置を再稼働させるためのリセットボタン８ｃ等が設けられている。
扉９は、筐体１ａの正面に開閉可能に設けられ、オペレータ等が保守作業等を行うとき等に開閉する。
【００１４】
集積機構１０は、筐体１ａ内の扉９の内側に設けられ、５つの集積部１１ａ〜１１ｅが上下方向に１列に並べて配置されており、各集積部１１には、それぞれ予め定められた所定の枚数としての結束枚数（本実施例では１００枚）の紙幣が集積される。
また、各集積部１１と扉９との間には、搬送された紙幣を各集積部１１に選択的に集積する振分搬送路１２が設けられている。
【００１５】
搬送路１３は、搬送ベルト対もしくはローラ対または搬送ベルトとローラの組合せにより紙幣を挟持して搬送する機能を有しており、搬送路１３ａは投入部２から鑑別部３を経て、搬送路１３ｂおよび搬送路１３ｃとの分岐点Ａに至るように設けられ、搬送路１３ｂは分岐点Ａからリジェクトポケット６に至るように設けられている。
【００１６】
また、搬送路１３ｃは分岐点Ａから表裏反転部４を経て、搬送路１３ｄおよび搬送路１３ｅとの分岐点Ｂに至るように設けられ、搬送路１３ｄは分岐点Ｂからオープンポケット５に至るように設けられ、搬送路１３ｅは分岐点Ｂから振分搬送路１２に至るように設けられている。
なお、分岐点Ａ、Ｂには、それぞれ紙幣の搬送方向を切替える図示しない切替ブレードが設けられている。
【００１７】
移送機構１４は、筐体１ａ内の集積機構１０の下方に設けられ、いずれかの集積部１１に結束枚数の紙幣が集積されたときに、ハンド部１４ａにより紙幣を束のまま把持して紙幣結束機構１５へ移送する。
紙幣結束機構１５は、筐体１ａ内の移送機構１４の下方に設けられ、移送機構１４により束のまま移送された紙幣を結束帯で結束して紙幣束を作成し、作成した紙幣束を筐体１ａの正面に設けられた放出口１５ａから筐体１ａ外へ放出する。
【００１８】
上記した紙幣整理装置１による紙幣の計数に係る処理動作は、図４に示す制御系によって行われる。
本実施例の制御系を構成する制御部１７は、上記各部を制御して、紙幣整理装置１による結束処理等の各種の処理動作を実行する。
【００１９】
カウンタ１８ａ〜１８ｅは、集積部１１ａ〜１１ｅに１対１に対応して設けられており、カウンタ１８ａは、集積部１１ａに集積された紙幣の枚数を、カウンタ１８ｂは、集積部１１ｂに集積された紙幣の枚数を、カウンタ１８ｃは、集積部１１ｃに集積された紙幣の枚数を、カウンタ１８ｄは、集積部１１ｄに集積された紙幣の枚数を、カウンタ１８ｅは、集積部１１ｅに集積された紙幣の枚数をカウントする。
記憶部１９は、制御部１７が実行する制御プログラムが格納される他、集積部１１ａ〜１１ｅに集積された紙幣の金種や、計数された金種毎の紙幣枚数等を記憶する。
【００２０】
本実施例の集積機構１０は、図５に示すように、上下方向に並べて配置された集積部１１ａ〜１１ｅと、各集積部１１と扉９との間で、各集積部１１に沿うように搬送路１３ｅから下方に伸長し、最下部の集積部１１ｅに至る振分搬送路１２を備えている。
なお、本実施例の扉９は、筺体１ａの一の側端部と、扉９の隅部（図５の例では奥側の、上下の隅部の間に設けられたヒンジ等の回転支点９ａを中心に開閉可能に構成されており、保守作業時等のときは正面側に開けて作業を行い、作業終了後は、閉じた状態にして施錠される。
【００２１】
各集積部１１は、同一の構成を有しており、搬送された紙幣を集積する集積板２１、集積板２１の上方に対向配置された押え板２２、集積板２１と押え板２２との間の側方に設けられた短手整位機構２３等を備えている。
振分搬送路１２は、固定搬送路２５と可動搬送路２６からなり、固定搬送路２５は、扉９の内側に組付けられ、可動搬送路２６は、固定搬送路２５の下端部に設けられた支軸２７を中心に回動可能に構成され、上部に設けられた、制限部材としてのリンク２８（図６参照）によって全開時の開度が制限される。
【００２２】
また、振分搬送路１２をロック状態にするときは、固定搬送路２５のフレームに設けたロックレバー２９ａと、可動搬送路２６のフレームに設けられたロックポスト２９ｂ等からなるロック機構の、ロックレバー２９ａをロックポスト２９に係合させる。
本実施例の固定搬送路２５には、複数のベルトプーリ３１に掛け渡された無端ベルトである搬送ベルト３２と、搬送される紙幣の一の面をガイドする搬送ガイド３３等が設けられている。
【００２３】
可動搬送路２６には、各集積部１１に対応させて、フィードローラ３４とこれに対向配置されたプレッシャローラ３５、対応する集積部１１の方向へ紙幣の搬送方向を切替えるゲート３６、集積部１１に紙幣を集積するときに、放出された紙幣の後端を叩いて紙幣を集積板２１上に落下させる叩き車３７、搬送される紙幣の他の面をガイドする搬送ガイド３８、集積板２１上に集積される紙幣をガイドする取込搬送ガイド３９等が設けられている。
【００２４】
また、可動搬送路２６には、そのフレームの、図５において紙面奥側の下部の集積部１１側に、支軸２７の中心より下側で、集積部１１の方向に向かって伸長する、当接部としてのストッパ部４１が形成されている。
本実施例の集積機構１０下には、集積機構１０を組付けるための支持板４２が、筺体１ａの一部として形成されており、その扉９側の端部には、ストッパ部４１を係止するための金属材からなる係止部４３が、扉９側の端面と面一になるように設けられている。
【００２５】
なお、ストッパ部４１の下端は、振分搬送路１２のロック状態において、支持板４２の上面との間に所定の隙間が形成される位置に設けられている。
支持板４２上の各集積部１１を収納するフレームの外側には、開閉検出センサとしてのマイクロスイッチ４５が、その斜面を集積部１１側に向けて取付けられている（図６参照）。
【００２６】
このマイクロスイッチ４５は、ペダル式のスイッチングセンサであって、ストッパ部４１の下端が斜面に乗上げて下方に押込んだことによって、扉９が正常に閉じたことを検出して開信号を出力し、斜面の押込みが解除されたときに、扉９が開いたことを検出して閉信号を出力する。
【００２７】
上記した振分搬送路１２の搬送ベルト３２は、ロック状態において、可動搬送路２６のフィードローラ３４が、固定搬送路２５の搬送ベルト３２を押圧することによって張力が生じる。
これにより、搬送路１３ｅにより搬送されてきた紙幣は、搬送ベルト３２とフィードローラ３４との間に挟持されて、搬送ガイド３３、３８間を縦方向に搬送される。
【００２８】
また、集積部１１、例えば、集積部１１ｄに紙幣を集積するときは、集積部１１ｄに対応するゲート３６を作動させて搬送方向を集積部１１ｄの方向に切替え、縦方向に搬送されてきた紙幣を選択的に集積部１１ｄ側に取込んで、フィードローラ３４とプレッシャローラ３５とで挟持し、取込搬送ガイド３９にガイドさせて集積板２１上に放出し、放出された紙幣は短手整位機構２３に衝突し、叩き車３７により後端を叩かれて集積板２１上に集積される。他の集積部１１においても同様である。
【００２９】
以下に、本実施例の紙幣整理装置１による結束処理の処理動作について説明する。
オペレータにより、紙幣整理装置１に電源が投入されると、記憶部１９に格納されている制御プログラムが自動的に起動され、制御部１７は、その制御プログラムによって、操作表示部７の表示画面に、処理モードの設定を行うことを指示するための「モード設定」ボタン等を表示した初期画面を表示して待機する。
【００３０】
このとき、扉９が閉じられた状態で、振分搬送路１２はロック状態になっており、マイクロスイッチ４５はストッパ部４１により押込まれた状態であるため、閉信号が出力されている。また、各カウンタ１８のカウント値は「０」に初期化されている。
オペレータが、初期画面から指触により「モード設定」ボタンを押下すると、これを認識した制御部１７は、操作表示部７に「入金モード」や「整理モード」等の選択ボタンを表示したモード選択画面を表示する。
【００３１】
以下の説明においては、オペレータが、紙幣の結束処理を行うために、整理モードを選択したとして説明する。
なお、入金モードが選択された場合、制御部１７は、投入部２に投入された紙幣を計数し、取引の番号毎、指定した区分毎等に分類集計した結果を記憶部１９に記憶する入金取引処理を実行する。
【００３２】
オペレータが、モード選択画面から「整理モード」ボタンを押下すると、これを認識した制御部１７は、操作表示部７に結束する金種（結束金種という。）を選択するための金種選択画面を表示し、オペレータは金種選択画面から結束金種を選択し、投入部２に結束する紙幣を投入して、操作部８の計数開始ボタン８ａを押下する。
オペレータによる結束金種の選択後に、計数開始ボタン８ａの押下を待って待機していた制御部１７は、計数開始ボタン８ａの押下を認識すると、投入部２に投入された紙幣を１枚ずつ搬送路１３ａへ繰出して鑑別部３へ搬送し、鑑別部３で当該紙幣の金種等を鑑別する。
【００３３】
鑑別部３による鑑別結果がリジェクト紙幣の場合、制御部１７は、当該リジェクト紙幣を搬送路１３ａ、１３ｂによりリジェクトポケット６へ搬送して集積する。
鑑別結果が結束金種以外の金種の場合、制御部１７は、当該紙幣を搬送路１３ａ、１３ｃ、表裏反転部４、搬送路１３ｄを経由してオープンポケット５へ集積する。
【００３４】
鑑別結果が結束金種の場合、制御部１７は、当該紙幣を搬送路１３ａ、１３ｃにより表裏反転部４へ搬送し、表裏反転部４で表裏を揃えた紙幣を、搬送路１３ｃ、１３ｅにより振分搬送路１２へ搬送する。
以下の説明では、紙幣を集積部１１ａに一時集積する場合を例に説明するが、他の集積部１１へ一時集積する場合も同様である。
【００３５】
振分搬送路１２へ表裏を揃えた紙幣を搬送した制御部１７は、集積部１１ａに対応するゲート３６を作動させて搬送方向を集積部１１ａの方向に切替え、振分搬送路１２により搬送されてきた紙幣をフィードローラ３４とプレッシャローラ３５とで挟持して集積板２１上に放出し、短手整位機構２３により短手方向を整位しながら叩き車３７により後端を叩いて集積板２１上に集積する。
【００３６】
このとき、制御部１７は、カウンタ１８ａのカウント値に「１」加えて、集積部１１ａに集積した紙幣枚数を計数する。
このようにして、振分搬送路１２により紙幣を搬送しながら、集積部１１ａの集積板２１上に紙幣を集積しているときに、図示しない高さセンサが集積板２１上の紙幣の集積高さが基準値を越えたことを出力すると、制御部１７は、集積板２１を下降させて集積部１１ａの集積空間を広げる。
【００３７】
これにより、皺や折り目等に起因する紙幣の状態によって集積高さが異なったとしても安定した集積動作を継続することが可能になる。
なお、紙幣の集積動作中において、押え板２２は集積部１１ａの上端に待機しており、順次取り込まれる紙幣の放出を妨げないようにしている。
【００３８】
カウンタ１８ａで計数された紙幣枚数が、本実施例の結束枚数である１００枚に達すると、制御部１７は、ゲート３６を、振分搬送路１２により搬送される紙幣が集積部１１ａの前を通過する方向に作動させて、集積部１１ａへの紙幣の集積を停止させる。
その後に搬送されてくる１０１枚目以降の紙幣は、集積部１１ｂ〜１１ｅのいずれかへ、集積部１１ａに集積する場合と同様にして集積される。
【００３９】
集積部１１ａへの紙幣の集積を停止させた制御部１７は、集積板２１を上昇させ、押え板２２を下降させることによって紙幣を束のまま挟持する。
これにより、皺等の紙幣の状態によって集積高さの異なる紙幣の厚みが一定になり、移送機構１４への束のままの紙幣の移送が容易になる。
【００４０】
集積板２１と押え板２２の間に紙幣を束のまま挟持した制御部１７は、移送機構１４を駆動して、そのハンド部１４ａを短手整位機構２３側から集積部１１ａ内に進入させ、ハンド部１４ａで束のままの紙幣を把持した後に、集積板２１と押え板２２による挟持を解除し、ハンド部１４ａを後退させて紙幣を束のまま引抜き、移送機構１４によってハンド部１４ａで把持した束のままの紙幣を紙幣結束機構１５との受渡部まで移送する（図１に２点鎖線で示すハンド部１４ａ参照）。
【００４１】
紙幣結束機構１５に紙幣を束のまま移送した制御部１７は、紙幣結束機構１５によって束のまま移送された紙幣を結束帯で結束して紙幣束を作成し、作成した紙幣束を放出口１５ａから筐体１ａ外へ放出する。
上記処理動作の継続中に、オペレータにより操作部８の完了ボタン８ｂが押下されると、これを認識した制御部１７は、各カウンタ１８のカウント値を「０」に初期化して今回の結束処理を終了させ、操作表示部７に初期画面を表示して待機する。
このようにして、本実施例の紙幣整理装置１による結束処理が実行される。
【００４２】
このような結束処理の実行中に、振分搬送路１２で障害、例えば紙幣ジャムが発生した場合、制御部１７は、搬送路１３および振分搬送路１２による紙幣の搬送等を停止させて結束処理を一旦停止させ、図示しない警報部によって警報を発すると共に、操作表示部７にジャムの発生個所（本実施例では、振分搬送路１２）を表示する。
【００４３】
この警報によりジャムの発生を認識し、操作表示部７によってジャムの発生個所を確認したオペレータは、図６に示すように、紙幣整理装置１の扉９を解錠して扉９を正面側に開く。なお、図６は、扉９を正面側に９０度開き、その状態で可動搬送路２６を開放した状態を正面側から図示したものである。
【００４４】
扉９を開くと、本実施例の振分搬送路１２は扉９の内側に組付けられているので、扉９の回転支点９ａを中心とした回転に伴って扉９と共に水平方向に回転する。
これにより、可動搬送路２６の下部に設けられたストッパ部４１の下端によるマイクロスイッチ４５の斜面の押込みが解除され、マイクロスイッチ４５からは開信号が出力される。
【００４５】
扉９を開けたオペレータは、振分搬送路１２のロックレバー２９ａによるロックを解除して、可動搬送路２６を支軸２７を中心に回動させて振分搬送路１２を開放する。
このとき、本実施例の振分搬送路１２には、リンク２８が設けられているので、開放時の開度が制限され、可動搬送路２６は所定の開度になったときに回動を停止する。
【００４６】
また、可動搬送路２６に設けられたストッパ部４１は、支軸２７より下側に設けられているので、可動搬送路２６の回動に伴って支持板４２の上面より下側に回動する。
振分搬送路１２を開放したオペレータは、振分搬送路１２内からジャム紙幣を除去する保守作業を行い、その終了後に、ロックレバー２９ａをロックポスト２９ｂに係合させて、振分搬送路１２をロックし、扉９を閉めて施錠する。
【００４７】
このとき、扉９の閉方向への回転に伴って可動搬送路２６に設けたストッパ部４１も共に閉方向に回転し、その下端でマイクロスイッチ４５の斜面を下方に押込み、マイクロスイッチ４５からは閉信号が出力される。
この閉信号を受けた制御部１７は、マイクロスイッチ４５からの信号が開信号から閉信号に変化したことによって扉９が正常に閉められたことを認識し、オペレータが操作部８のリセットボタン８ｃを押下したときに、一旦停止していた結束処理を再開させる。
【００４８】
上記した扉９を閉めるときに、オペレータが過誤により、振分搬送路１２を開放したままの異常状態で扉９を閉めようとすると、可動搬送路２６の下部に設けられたストッパ部４１が、扉９の閉方向への回転に伴って集積部１１の方向に回転し、支持板４２に設けられた係止部４３に当接する。
【００４９】
そして、オペレータが扉９を更に閉めようとすると、本実施例のストッパ部４１は支軸２７より下側に設けられているので、オペレータが扉９を閉めようとする力によりストッパ部４１が係止部４３に押付けられたときに発生するモーメントによって可動搬送路２６は支軸２７を中心に更に開く方向に回動しようとするが、本実施例の振分搬送路１２には、リンク２８が設けられ全開時の開度が制限されているので、可動搬送路２６は更に回動することができず、結果として可動搬送路２６が固定状態になり、扉９が閉まらない状態になる。
【００５０】
これにより、可動搬送路２６が、集積部１１の集積板２１や押え板２２等に接触することが防止され、集積部１１等の構成部品の破損や変形が防止される。
また、支軸２７は、可動搬送路２６のフレームの下端部に設けられているので、可動搬送路２６の上端が、集積部１１を収納するフレーム等に当接した場合に比べて、支軸２７に負荷される力が低減され、可動搬送路２６や固定搬送路２５のフレームの歪みや変形が防止される。
【００５１】
以上説明したように、本実施例では、扉９に組付けられた開放可能な振分搬送路１２の可動搬送路２６の下端部にストッパ４１を設けると共に、各集積部１１を組付ける支持板４２にストッパ４１の係止部４３を設けたので、可動搬送路２６を開放した状態で扉９を閉めたとしても、ストッパ部４１が係止部４３に当接して扉９を閉めることができなり、可動搬送路２６や集積部１１の構成部品等の破損や変形を防止することができる。
【００５２】
また、振分搬送路１２に、可動搬送路２６の開度を制限するリンク２８を設けたので、可動搬送路２６を開放した状態で扉９を閉め、更に閉めようとして、ストッパ部４１が係止部４３に押付けられたとしても、リンク２８によって開放状態の可動搬送路２６の動きを固定することができ、扉９を閉めることができなくなって、可動搬送路２６や各集積部１１の構成部品の破損や変形を防止することができる。
【００５３】
また、可動搬送路２６に設けたストッパ部４１の動きを検出して扉９の開閉状態を検出するマイクロスイッチ４５を設けたので、ストッパ部４１に、可動搬送路２６の異常状態における部品の破損防止機能と、扉９が正常に閉められたたことの確認機能の両方の機能を受持たせることができ、紙幣整理装置１の部品点数の削減を図ることができる。
【００５４】
なお、上記実施例においては、係止部４３は、筺体１ａの一部として形成された支持板４２の扉９側の端面と面一に設けられた金属板として説明したが、係止部４３として支持板４２の端面そのものを用いるようにしてもよい。このようにすれば、紙幣整理装置１の部品点数の更なる削減を図ることができる。
【００５５】
また、上記実施例においては、可動搬送路２６の開度を制限する制限部材はリンク２８であるとして説明したが、制限部材は前記に限らず、制限部材を、可動搬送路２６が所定の開度で開いた状態で釣合う引張コイルスプリング等のバネ部材とし、その保持力を、可動搬送路２６を開放したまま扉９を更に閉めたときにストッパ部４１が係止部４３に押付けられることにより発生する可動搬送路２６を更に開けようとする力より大きくして、扉９を閉まらない状態にしてもよい。
【００５６】
更に、上記実施例においては、開閉検出センサは、マイクロスイッチ４５であるとして説明したが、扉センサは前記に限らず、ストッパ部４１を光軸の遮光板として機能させたフォトカプラ等の光学式センサであってもよい。
更に、上記実施例においては、紙葉類処理装置は、紙幣を整理する紙幣整理装置であるとして説明したが、紙葉類処理装置が整理する紙葉類は紙幣に限らず、商品券や金券、チケット、切符等であってもよい。このような紙葉類を所定の枚数毎に結束して束として排出する整理装置に本発明を適用すれば、上記と同様の効果を得ることができる。
【符号の説明】
【００５７】
１    紙幣整理装置
１ａ  筐体
２    投入部
３    鑑別部
４    表裏反転部
５    オープンポケット
６    リジェクトポケット
７    操作表示部
８    操作部
８ａ  計数開始ボタン
８ｂ  完了ボタン
８ｃ  リセットボタン
９  扉
１０  集積機構
１１、１１ａ〜１１ｅ  集積部
１２  振分搬送路
１３、１３ａ〜１３ｅ  搬送路
１４  移送機構
１４ａ  ハンド部
１５  紙幣結束機構
１５ａ  放出口
１７  制御部
１８、１８ａ〜１８ｅ  カウンタ
１９  記憶部
２１  集積板
２２  押え板
２３  短手整位機構
２５  固定搬送路
２６  可動搬送路
２７  支軸
２８  リンク
２９ａ  ロックレバー
２９ｂ  ロックポスト
３１  ベルトプーリ
３２  搬送ベルト
３３、３８  搬送ガイド
３４  フィードローラ
３５  プレッシャローラ
３６  ゲート
３７  叩き車
３９  取込搬送ガイド
４１  ストッパ部
４２  支持板
４３  係止部
４５  マイクロスイッチ
【図１】
0006597383.tif 000002
【図２】
0006597383.tif 000003
【図３】
0006597383.tif 000004
【図４】
0006597383.tif 000005
【図５】
0006597383.tif 000006
【図６】
0006597383.tif 000007